(57)【要約】【課題】発光素子の長寿命化が可能な表示装置とその表示方法を提供する。【解決手段】黒ライン検出部３１で、１ラインを構成する全画素が非表示である黒ラインを検出し、その検出結果を表示制御テーブル３３に書き込む。ロウ制御部３６は、表示制御テーブル３３を参照し、Ｓ本の黒ラインが連続した後に黒ラインではない表示ラインが存在する場合、そのＳ本の表示走査を行わずにそのＳ本に続く表示ラインをＳ＋１倍に時間拡張して表示するための走査ライン番号ＳＬを出力する。更に、駆動電流制御部３８からカラムドライバ５０に対し、その時間拡張表示における発光素子への印加電流を規定値の１／（Ｓ＋１）にするための電流制御信号ＣＣを出力する。これにより、発光素子に流れる電流が低減し、寿命を長くすることができる。【選択図】図１
2008191353.tif 000002
【特許請求の範囲】
【請求項１】
平行配置された複数の陰極線と該陰極線に交差して平行配置された複数の陽極線の各交差箇所に発光素子を接続し、各陽極線から発光素子を通して選択された陰極線に流れる電流によって表示を行うパッシブマトリックス型の表示パネルと、
前記表示パネルに表示する表示データを該表示パネルの各陰極線に対応するライン単位に読み出すことができるように記憶する画像メモリと、
前記陽極線毎に設けられて共通の制御信号で制御される電源から規定値またはそれ以下に低減して出力される電流または電圧を前記画像メモリから読み出された表示データに従って対応する陽極線に供給するカラムドライバと、
表示ライン指定信号に従って前記表示パネルの複数の陰極線から１つを選択して共通電位に接続するロウドライバと、
前記画像メモリに記憶された表示データをライン単位に調べ、１ラインを構成する全画素が非表示である黒ラインがＳ（但し、Ｓは１以上の整数）ライン連続した後に黒ラインではない表示ラインが存在するときに、該Ｓラインの表示走査を行わずにそのＳラインに続くライン表示をＳ＋１倍に時間を拡張して表示するように指示する前記表示ライン指定信号を出力すると共に、前記カラムドライバの電源から出力される電流または電圧を前記規定値の１／（Ｓ＋１）にするための前記制御信号を出力するコントローラとを、
備えたことを特徴とする表示装置。
【請求項２】
前記コントローラは、前記ライン単位に、黒ラインか否かの識別、黒ラインの場合にその黒ラインに代えて表示するラインの指定、及び前記電源に対する制御情報を保持する表示制御テーブルを有することを特徴とする請求項１記載の表示装置。
【請求項３】
前記表示パネルは、有機エレクトロ・ルミネッセンス表示パネルであることを特徴とする請求項１または２記載の表示装置。
【請求項４】
交差して平行配置された複数の陰極線と複数の陽極線の各交差箇所に発光素子が接続されたパッシブマトリックス型の表示パネルと、前記表示パネルに表示する表示データを前記陰極線に対応するライン単位に記憶する画像メモリと、前記陽極線毎に設けられて共通の制御信号で制御される電源から規定値またはそれ以下に低減して出力される電流または電圧を前記画像メモリから読み出された表示データに従って対応する陽極線に供給するカラムドライバと、表示ライン指定信号に従って前記複数の陰極線から１つを選択して共通電位に接続するロウドライバを備えた表示装置に画像を表示する表示方法であって、
外部から与えられる画像データを前記画像メモリに格納すると共に、該画像データをライン単位に調べ、１ラインを構成する全画素が非表示である黒ラインがＳ（但し、Ｓは１以上の整数）ライン連続した後に黒ラインではない表示ラインが存在するときに、該Ｓラインの表示走査を行わずにそのＳラインに続くライン表示をＳ＋１倍に時間を拡張して表示するように指示する前記表示ライン指定信号を出力すると共に、前記カラムドライバの電源から出力される電流または電圧を前記規定値の１／（Ｓ＋１）にするための前記制御信号を出力することを特徴とする表示方法。
【発明の詳細な説明】
【技術分野】
【０００１】
本発明は、例えば有機ＥＬ（エレクトロ・ルミネッセンス）等の発光素子を用いたパッシブマトリックス方式の表示装置とその表示方法、特にその長寿命化に関するものである。
【背景技術】
【０００２】
図２は、従来の表示装置の構成図である。
この表示装置は、格子状に配置された陰極線Ｒ１〜Ｒｍと陽極線Ｃ１〜Ｃｎの交差箇所に発光素子Ｅ１１〜Ｅｍｎを設けた有機ＥＬパネル１を有している。各発光素子Ｅｉｊ（但し、ｉ＝１〜ｍ，ｊ＝１〜ｎ）の陰極は陰極線Ｒｉに接続され、陽極は陽極線Ｃｊに接続されている。なお、発光素子Ｅ１１〜Ｅｍｎは、陽極から陰極に流れる電流によって光を発するものである。この有機ＥＬパネル１は、ロウドライバ２とカラムドライバ３によって駆動されるようになっている。
【０００３】
ロウドライバ２は、陰極線Ｒ１〜Ｒｍを順番に一定の時間間隔で周期的に選択駆動するもので、各陰極線Ｒｉに対応して設けられ、走査用のタイミング信号に従ってその陰極線Ｒｉを接地電位ＧＮＤに接続するスイッチＲＳｉを有している。
【０００４】
カラムドライバ３は、有機ＥＬパネル１の陽極線Ｃ１〜Ｃｍを表示データに従って駆動するもので、各陽極線Ｃｊに対応して設けられて一定の電流を供給する電流源Ｉｊと、この電流源Ｉｊから陽極線Ｃｊに供給する電流を表示データに応じてオン／オフ制御するスイッチＣＳｊを有している。ロウドライバ２に対する走査用のタイミング信号と、カラムドライバ３に対する表示データは、コントローラ４から与えられるようになっている。
【０００５】
コントローラ４は、外部から表示用の画像データＩＮを受信する画像データ受信部４ａと、受信した画像データを記憶する画像メモリ４ｂと、一定のタイミングで画像メモリ４ｂを読み出してロウドライバ２にタイミング信号を、カラムドライバ３に表示データを与えるタイミング制御部４ｃとで構成されている。
【０００６】
この表示装置では、外部から与えられる画像データＩＮは、コントローラ４の画像データ受信部４ａに入力された後、画像メモリ４ｂに格納される。タイミング制御部４ｃは、画像メモリ４ｂに格納された画像データＩＮに基づいて表示データと走査用のタイミング信号を生成し、ロウドライバ２のスイッチＲＳｉと、カラムドライバ３のスイッチＣＳｊを制御する。
【０００７】
タイミング制御部４ｃは、ロウドライバ２のスイッチＲＳ１〜ＲＳｍを一定周期で択一的に順次オンにすることで、陰極線Ｒ１〜Ｒｍが順次接地電位ＧＮＤとなるように走査する。更に、タイミング制御部４ｃは、スイッチＲＳ１〜ＲＳｍの走査周期に同期して、カラムドライバ３内のスイッチＣＳ１〜ＣＳｎを、表示データに基づいてオン／オフ制御することで、所望の発光素子Ｅｉｊに駆動電流を供給する。
【０００８】
例えば、発光素子Ｅ１１，Ｅ１２を発光させる場合、スイッチＲＳ１〜ＲＳｍの内のスイッチＲＳ１のみをオンにして陰極線Ｒ１が接地電位ＧＮＤとなるように走査すると共に、スイッチＣＳ１，ＣＳ２をオンにして陽極線Ｃ１，Ｃ２をそれぞれ電流源Ｉ１，Ｉ２に接続する。これにより、発光素子Ｅ１１，Ｅ１２は、駆動電流が供給されて発光する。
【０００９】
なお、発光素子Ｅ１１，Ｅ１２の輝度自体は、駆動電流が同じであるので同一であるが、駆動電流の供給時間（即ち、１走査期間中にスイッチＣＳ１，ＣＳ２をオンにしている時間）を変えることにより、人間の目の残像現象によって感じる明るさを制御することができる。このような走査と駆動動作を高速で繰り返すことにより、有機ＥＬパネル１に画像表示が行われる。
【００１０】
下記特許文献１には、アクティブマトリックス方式の有機ＥＬパネルの駆動装置において、１ラインの表示データがすべて非発光のときに駆動回路の動作を停止させることにより、消費電力の低減を図る技術が記載されている。
【００１１】
この駆動装置は、アクティブマトリックス方式の発光表示パネルを駆動するためのソースドライバ、ゲートドライバ及びコントローラで構成され、１走査期間の表示データがすべて非発光（例えば、データ“０”）である場合に、コントローラからソースドライバに対して、オールゼロの通知をするようになっている。ソースドライバは、コントローラからオールゼロの通知を受けると、表示パネルに配列された各画素に対して強制的に黒データを出力すると共に、駆動停止状態となる。これにより、１ラインがすべて非発光のときに、比較的高い駆動電圧で高速動作するソースドライバの動作が一時的に停止されるので、低消費電力が実現できるとされている。
【００１２】
【特許文献１】特開２００５−１０７００４号公報
【発明の開示】
【発明が解決しようとする課題】
【００１３】
従来の表示装置では、走査線である陰極線Ｒ１〜Ｒｍは、１走査周期毎に１／ｍのデューティ比で駆動される。従って、表示パネルで必要な表示輝度Ｌｄを得るために、各発光素子は、対応する陰極線が駆動されたときにＬｄ×ｍの輝度で発光しなければならない。このため、表示輝度Ｌｄが一定の場合でも、走査線の数ｍが多くなると（即ち、デューティ比１／ｍが小さくなると）各発光素子の発光輝度を一段と高くする必要が出てくる。このため、発光素子に流す駆動電流も比例して増大する。
【００１４】
ところが、有機ＥＬ表示パネルの寿命は、発光素子に流れる駆動電流の大小に影響を受けるという特性がある。即ち、発光素子の駆動電流の大きさを２倍にすると寿命が１／２に短縮されるのではなく、寿命は１／２未満（例えば、１／４）に短縮するという性質がある。このため、従来の有機ＥＬ表示装置において、一定の表示輝度を実現しようとする場合、走査線数ｍが大きくてデューティ比１／ｍが小さくなるほど、寿命が短縮して輝度の経時低下が著しくなるという課題があった。
【００１５】
本発明は、発光素子の長寿命化が可能な表示装置とその表示方法を提供することを目的としている。
【課題を解決するための手段】
【００１６】
本発明の表示装置は、平行配置された複数の陰極線と該陰極線に交差して平行配置された複数の陽極線の各交差箇所に発光素子を接続し、各陽極線から発光素子を通して選択された陰極線に流れる電流によって表示を行うパッシブマトリックス型の表示パネルと、前記表示パネルに表示する表示データを該表示パネルの各陰極線に対応するライン単位に読み出すことができるように記憶する画像メモリと、前記陽極線毎に設けられて共通の制御信号で制御される電源から規定値またはそれ以下に低減して出力される電流または電圧を前記画像メモリから読み出された表示データに従って対応する陽極線に供給するカラムドライバと、表示ライン指定信号に従って前記表示パネルの複数の陰極線から１つを選択して共通電位に接続するロウドライバと、前記画像メモリに記憶された表示データをライン単位に調べ、１ラインを構成する全画素が非表示である黒ラインがＳ（但し、Ｓは１以上の整数）ライン連続した後に黒ラインではない表示ラインが存在するときに、該Ｓラインの表示走査を行わずにそのＳラインに続くライン表示をＳ＋１倍に時間を拡張して表示するように指示する前記表示ライン指定信号を出力すると共に、前記カラムドライバの電源から出力される電流または電圧を前記規定値の１／（Ｓ＋１）にするための前記制御信号を出力するコントローラとを備えたことを特徴としている。
【発明の効果】
【００１７】
本発明では、１ラインを構成する全画素が非表示である黒ラインがＳライン連続した後に黒ラインではない表示ラインが存在するときに、そのＳラインの表示走査を行わずにそのＳラインに続くライン表示をＳ＋１倍に時間を拡張して表示すると共に、その時間拡張表示における発光素子への印加電流を規定値の１／（Ｓ＋１）に制御するコントローラを備えている。これにより、発光素子に流れる電流を低減することが可能になり、寿命を長くすることができるという効果がある。
【発明を実施するための最良の形態】
【００１８】
この発明の前記並びにその他の目的と新規な特徴は、次の好ましい実施例の説明を添付図面と照らし合わせて読むと、より完全に明らかになるであろう。但し、図面は、もっぱら解説のためのものであって、この発明の範囲を限定するものではない。
【実施例１】
【００１９】
図１は、本発明の実施例を示す有機ＥＬ表示装置の構成図である。
この有機ＥＬ表示装置は、有機ＥＬパネル１、入力インタフェース（以下、「入力Ｉ／Ｆ」という）１０、画像メモリ２０、コントローラ３０、ロウドライバ４０及びカラムドライバ５０を備えている。
【００２０】
有機ＥＬパネル１は、図２中のものと同様のパッシブマトリックス型の表示パネルで、格子状に配置された陰極線Ｒ１〜Ｒｍと陽極線Ｃ１〜Ｃｍの各交差箇所に発光素子Ｅ１１〜Ｅｍｎを設けたものである。各発光素子Ｅｉｊ（但し、ｉ＝１〜ｍ，ｊ＝１〜ｎ）の陰極は陰極線Ｒｉに接続され、陽極は陽極線Ｃｊに接続されている。発光素子Ｅ１１〜Ｅｍｎは、陽極から陰極に流れる電流によって光を発するものである。
【００２１】
入力Ｉ／Ｆ１０は、外部から周期的に順次与えられる画像データＩＮを受信して、画像メモリ２０に格納するためのアドレスＡＤ、表示データＤＴ、表示画像のどのラインに相当するかを表す書込ライン番号ＷＬを出力するものである。表示データＤＴとアドレスＡＤは画像メモリ２０に与えられ、更に表示データＤＴは書込ライン番号ＷＬと共にコントローラ３０にも与えられている。
【００２２】
画像メモリ２０は、表示画面をフレーム単位に記憶する２ポートメモリで、１フレーム分の表示データＤＴを格納する。表示データＤＴとアドレスＡＤは、にそれぞれ画像メモリ２０の第１ポートの端子Ｄ１，Ａ１に与えられる。第２ポート側は、コントローラ３０から端子Ａ２に与えられる制御アドレスＡＤ２に従って画像データＤＯ２を読み出し、端子Ｄ２からコントローラ３０へ出力する。
【００２３】
コントローラ３０は、１ラインを構成する全画素の表示データＤＴがすべて非表示（例えば、全データが“０”）であるライン（以下、「黒ライン」という）を検出し、その黒ラインの表示走査を取り止めると共に、その取り止めた表示時間を黒ラインでない次の表示ラインの表示に振り向ける制御を行うものである。
【００２４】
このコントローラ３０は、入力Ｉ／Ｆ１０から１ライン単位で与えられる表示データＤＴと書込ライン番号ＷＬにより、黒ラインであるか否かを検出する黒ライン検出部３１を有している。黒ライン検出部３１の検出結果は、駆動電流算出部３２と表示制御テーブル３３に与えられている。駆動電流算出部３２は、黒ラインが検出されたときに、その黒ラインの表示走査の取り止めに対応して表示する他のライン番号を決定すると共に、そのラインに対する駆動電流の大きさを算出し、表示制御テーブル３３にこれらの制御情報を書き込むものである。また、表示制御テーブル３３は、画像メモリ２０に格納される表示データＤＴにおける黒ラインの位置と、その黒ラインの表示走査の取り止めに対応して表示する他のラインの制御内容を保持するものである。
【００２５】
更に、このコントローラ３０は、表示制御テーブル３３に保持された表示ライン情報ＤＬを読み出してロウドライバ４０を制御するロウ制御部３６、画像メモリ出力データＤＯ２に従ってカラムドライバ５０を制御するカラム制御部３５、及び表示制御テーブル３３に保持された駆動電流制御情報ＤＩとカラム制御部３５からのタイミング信号に従ってカラムドライバ５０に駆動電流制御信号ＣＣを出力する駆動電流制御部３８を有している。
【００２６】
また、コントローラ３０は、フレームカウンタ３４を有している。フレームカウンタ３４は、発振器３７が出力するクロック信号ＣＬＫにより、画像表示に必要な基準となる各種のタイミング信号を生成するものである。カラム制御部３５とロウ制御部３６は、フレームカウンタ３４が生成するタイミング信号に基づいて動作するものである。
【００２７】
ロウドライバ４０は、コントローラ３０から与えられる走査ライン番号ＳＬに従って該当する陰極線Ｒｉを共通電位（接地電位ＧＮＤ）に接続するものである。このロウドライバ４０は、走査ライン番号ＳＬをデコードするデコーダ４１と、このデコーダ４１でデコードされて出力される信号に従って陰極線Ｒｉと接地電位ＧＮＤの間をオン／オフ制御するスイッチ４２ｉで構成されている。
【００２８】
カラムドライバ５０は、有機ＥＬパネル１の陽極線Ｃ１〜Ｃｎを、画像メモリ２０から読み出された表示データＤＴに従って駆動するものである。このカラムドライバ５０は、コントローラ３０から与えられる電流制御信号ＣＣをアナログ信号に変換するディジタル・アナログ変換器（以下、「ＤＡＣ」という）５１と、各陽極線ＣＬｊに対応して設けられてＤＡＣ５１から与えられるアナログ信号に従って電流を出力する電流源５２ｊと、この電流源５２ｊから陽極線Ｃｊに供給する電流を表示データＤＴに応じてオン／オフ制御するスイッチ５３ｊを有している。なお、表示データＤＴは、画像メモリ２０を経てカラム制御部３５に与えられ、このカラム制御部３５によって表示データＤＴの内容である輝度情報がスイッチのオン時間に変換され、各スイッチ５３ｊが制御されるようになっている。
【００２９】
図３は、図１中の表示制御テーブルの一例を示す説明図、図４は、図１の動作を示す信号波形図である。以下、これらの図３と図４を参照しつつ、図１の動作を説明する。
【００３０】
画像データＩＮは、入力Ｉ／Ｆ１０によって表示画面のライン毎に表示データが抽出され、抽出されたライン単位に書込ライン番号ＷＬと、表示データＤＴと、画像メモリへ格納する際のアドレスＡＤが順次出力される。出力された書込ライン番号ＷＬと表示データＤＴは、画像メモリ２０に与えられ、書込ライン番号ＷＬと表示データＤＴは、コントローラ３０に与えられる。
【００３１】
画像メモリ２０では、アドレスＡＤで指定される記憶領域に、表示データＤＴが順次格納される。
【００３２】
一方、コントローラ３０では、黒ライン検出部３１によって表示データＤＴが黒ラインであるか否かが検出され、その検出結果が駆動電流算出部３２に与えられる。
【００３３】
例えば、１ライン目が黒ラインでなければ、表示制御テーブル３４には、図３に示すように、走査番号ＳＬ１に対応する「表示／非表示」欄に“１”、「表示ライン」欄に“１”、「駆動電流」欄に“１”が、それぞれ書き込まれる。
【００３４】
２ライン目が黒ラインであると、走査番号ＳＬ２に対応する「表示／非表示」欄に“０”が書き込まれる。但し、この時点では、「表示ライン」欄と「駆動電流」欄には、何も書き込まれない。
【００３５】
３ライン目も黒ラインであると、走査番号ＳＬ３に対応する「表示／非表示」欄に“０”が書き込まれる。この時点でも、「表示ライン」欄と「駆動電流」欄には、何も書き込まれない。
【００３６】
４ライン目が黒ラインでないと、走査番号ＳＬ４に対応する「表示／非表示」欄に“１”、「表示ライン」欄に“４”が書き込まれる。この時点で、未書き込みであった走査番号ＳＬ２，ＳＬ３に対応する「表示ライン」欄にも“４”が書き込まれる。更に、走査番号ＳＬ２〜ＳＬ４に対応する「駆動電流」欄には、“１／３”が書き込まれる。
【００３７】
即ち、黒ラインがＳライン（この場合は、Ｓ＝２）連続した後に、黒ラインではない表示ラインが存在するときに、この表示ラインをＳ＋１倍に時間拡張して表示することを指示するように「表示ライン」欄が設定される。更に、「駆動電流」欄には、カラムドライバ５０の電流源５２ｊの供給電流を、規定値の１／（Ｓ＋１）とする指示が設定される。
【００３８】
更に、５ライン目が黒ラインでなければ、走査番号ＳＬ５に対応する「表示／非表示」欄に“１”が書き込まれる。この時点では、それ以前の走査番号ＳＬで未書き込みの項目はないので、「表示ライン」欄に“５”、「駆動電流」欄に“１”が、それぞれ書き込まれる。
【００３９】
以上のような繰り返しにより、画像メモリ２０に格納された表示データＤＴに対応する表示制御テーブル３３が完成する。
【００４０】
次に、読み出し動作では、カラム制御部３５、ロウ制御部３６及び駆動電流制御部３８が、表示制御テーブル３３の走査番号ＳＮに対する表示制御情報を読み出して出力する。
【００４１】
１回目の走査では、走査番号ＳＬ１に対応する「表示ライン」欄の“１”が読み出され、表示ライン番号ＤＬ（＝１）として出力される。更に、「駆動電流」欄の“１”が読み出され、電流制御信号ＣＣ（＝１）として出力される。表示ライン番号ＤＬは、ロウドライバ４０のデコーダ４０に与えられ、これにより、陰極線Ｒ１に対応するスイッチ４２がオンとなり、この陰極線Ｒ１は接地電位ＧＮＤに接続される。
【００４２】
これと同時に、読出ライン番号ＲＬはアドレスＡＤ２として画像メモリ２０のアドレス端子Ａ２に与えられ、この画像メモリ２０のデータ出力端子Ｄ２から１ライン目の表示データＤＴが出力さる。表示データＤＴは、カラム制御部３５に与えられ、この表示データＤＴの内容である輝度情報がスイッチのオン時間に変換され、各スイッチ５３ｊが制御される。また、電流制御信号ＣＣは、カラムドライバ５０のＤＡＣ５１に与えられ、“１”に対応するアナログ信号に変換されて各電流源５２ｊに与えられる。これにより、各電流源５２ｊの供給電流は、規定値となる。従って、図４の走査期間Ｓ１に示すように、接地電位ＧＮＤの陰極線Ｒ１と、陽極線Ｃ１，Ｃ２，…の交差箇所の発光素子Ｅ１１、Ｅ１２，…に、これらの陽極線Ｃ１，Ｃ２，…に与えられる規定電流の供給時間に応じた明るさの表示が行われる。
【００４３】
２回目の走査では、表示制御テーブル３４の走査番号ＳＬ２に対応する「表示ライン」欄の“４”が読み出され、走査ライン番号ＳＬ（＝４）として出力されると共に、「駆動電流」欄の“１／３”が読み出されて電流制御信号ＣＣ（＝１／３）として出力される。走査ライン番号ＳＬは、デコーダ４０に与えられてデコードされ、陰極線Ｒ４に対応するスイッチ４２がオンとなり、この陰極線Ｒ４が接地電位ＧＮＤに接続される。また、画像メモリ２０からは４ライン目の表示データＤＴが出力される。表示データＤＴは、カラム制御部３５でスイッチのオン時間に変換されるが、この場合は３倍に時間拡張され、各スイッチ５３ｊが制御される。また、電流制御信号ＣＣ（＝１／３）は、ＤＡＣ５１に与えられて１／３に対応するアナログ信号に変換され、各電流源５２ｊに与えられる。従って、各電流源５２ｊの供給電流は、規定値の１／３となる。
【００４４】
これにより、図４の走査期間Ｓ２〜Ｓ４に示すように、接地電位ＧＮＤの陰極線Ｒ４と、陽極線Ｃ１，Ｃ２，…の交差箇所の発光素子Ｅ４１、Ｅ４２，…に、これらの陽極線Ｃ１，Ｃ２，…に与えられる規定値の１／３の電流と、その供給時間に応じた明るさの表示が行われる。従って、２回目の走査では、２番目の陰極線Ｒ２に黒ラインを表示するのではなく、４番目の陰極線Ｒ４に規定値の１／３の駆動電流による表示が行われる。このように、走査期間Ｓ２〜Ｓ４において、４番目の陰極線Ｒ４に規定値の１／３の駆動電流による表示が３倍に時間拡張されて行われる。従って、人間の目に感じられる明るさは、走査期間Ｓ４に規定値の駆動電流で表示した場合と同じ明るさとなる。
【００４５】
３回目の走査では、表示制御テーブル３４の走査番号ＳＬ５に対応する「表示ライン」欄と「駆動電流」が読み出される。表示ラインＤＬ＝５、駆動電流ＤＩ＝１であるので、５ライン目が時間拡張されることなく、カラム制御部３５とロウ制御部３６が動作する。
【００４６】
以下同様に、４回目の走査では、走査番号ＳＬ７に対応する「表示ライン」欄の“７”が読み出されて走査ライン番号ＳＬ（＝７）として出力されると共に、「駆動電流」の“１／２”が読み出されて電流制御信号ＣＣ（＝１／２）として出力される。これにより、陰極線Ｒ７に対応する表示データＤＴが規定の１／２の駆動電流で、２倍に時間拡張されて表示される。
【００４７】
このような繰り返しにより、画像メモリ２１に格納された表示データＤＴが、有機ＥＬパネル１に表示される。
【００４８】
以上のように、この実施例の有機ＥＬ表示装置は、１ラインを構成する全画素が非表示である黒ラインを検出し、その黒ラインの走査表示を取り止めると共に、その取り止めた表示時間を黒ラインでない次のラインの表示に振り向けて表示するコントローラ３０を有している。これにより、Ｓ本の黒ラインに後続する表示ラインは、通常のＳ＋１倍の表示時間が与えられるので、駆動電流を規定値の１／（Ｓ＋１）にすることができる。従って、有機ＥＬパネルの発光素子に流れる電流を低減することが可能になり、寿命を長くすることができるという利点が有る。
【００４９】
なお、本発明は、上記実施例に限定されず、種々の変形が可能である。この変形例としては、例えば、次のようなものがある。
（ａ）  ロウドライバ４０内のスイッチ４２ｉは、陰極線Ｒｉを接地電位ＧＮＤに接続するためのオン・オフスイッチであるが、オフ時に陰極線Ｒｉを電源電位に接続する切替スイッチを用いることができる。同様に、カラムドライバ５０内のスイッチ５３ｊに代えて、オフ時に陽極線Ｃｊを接地電位ＧＮＤに接続する切替スイッチを用いることができる。これにより、オフ状態の発光素子Ｅｉｊに逆バイアス電圧が印加されるので、誤発光を防止することができる。
（ｂ）  有機ＥＬディスプレイに限らず、パッシブマトリックス型の表示装置に適用することができる。
（ｃ）  カラムドライバ５０では、電流源５２ｊによって有機ＥＬパネル１に供給する電流を生成しているが、電圧源を用いて供給電圧を生成するように構成しても良い。
【図面の簡単な説明】
【００５０】
【図１】本発明の実施例を示す有機ＥＬ表示装置の構成図である。
【図２】従来の表示装置の構成図である。
【図３】図１中の表示制御テーブルの一例を示す説明図である。
【図４】図１の動作を示す信号波形図である。
【符号の説明】
【００５１】
１    有機ＥＬパネル
１０    入力Ｉ／Ｆ
２０    画像メモリ
３０    コントローラ
３１    黒ライン検出部
３２    駆動電流算出部
３３    表示制御テーブル
３４    フレームカウンタ
３５    カラム制御部
３６    ロウ制御部
３７    発振器
３８    駆動電流制御部
４０    ロウドライバ
４１    デコーダ
４２，５３    スイッチ
５０    カラムドライバ
５１    ＤＡＣ
５２    電流源
【図１】
2008191353.tif 000003
【図２】
2008191353.tif 000004
【図３】
2008191353.tif 000005
【図４】
2008191353.tif 000006